(57)【要約】  本開示は、モジュール式仕分けプラットフォームと物品仕分けシステムとを提供する。モジュール式仕分けプラットフォームは、支持構造と、組み合わせプラットフォームとを含む。組み合わせプラットフォームは、支持構造に設置され、複数のプラットフォームモジュールから構成される。プラットフォームモジュールは、組み合わせプラットフォームの仕事面を形成するための積込モジュールプラットフォーム仕事面、仕分け対象の物品を受け入れるための投入位置、および、別のプラットフォームモジュールとの連結のための積込モジュール連結部を含む積込モジュールと、組み合わせプラットフォームの仕事面を形成するための積降モジュール仕事面、物品を排出するための排出位置、および、別のプラットフォームモジュールとの連結のための積降モジュール連結部とを含む積降モジュールとを含む。物品仕分けシステムは、モジュール式仕分けプラットフォームを含む。本開示では、要求される仕分け業務を達成するように、実際の必要性を満たすモジュール式仕分けプラットフォームを得ることができる。
2021529136.tif 000002
【特許請求の範囲】
【請求項１】
支持構造（５）と、
前記支持構造（５）に設置され、複数のプラットフォームモジュールから構成される組み合わせプラットフォームであって、前記プラットフォームモジュールが、
該組み合わせプラットフォームの仕事面を形成するための積込モジュール仕事面と、仕分け対象の物品を受け入れるための投入位置と、別のプラットフォームモジュールとの連結のための積込モジュール連結部とを備えた積込モジュール（１）、ならびに、
該組み合わせプラットフォームの仕事面を形成するための積降モジュール仕事面と、前記物品を排出するための排出位置と、別のプラットフォームモジュールとの連結のための積降モジュール連結部とを備えた積降モジュール（２）
を備える、組み合わせプラットフォームと、
を含んでなることを特徴とする、モジュール式仕分けプラットフォーム。
【請求項２】
前記積込モジュール（１）が、
前記物品をバッファリングするためのバッファリング領域、および/または、
コードスキャナと連結するためのスキャナ連結位置決めインターフェース、および/または、
表示部と連結するための表示部連結位置決めインターフェース
をさらに備えていることを特徴とする、請求項１に記載のモジュール式仕分けプラットフォーム。
【請求項３】
前記積降モジュール（２）が、前記排出位置に配置され、物品受入部と連結される受入部連結位置決めインターフェースを備えていることを特徴とする、請求項１に記載のモジュール式仕分けプラットフォーム。
【請求項４】
前記積込モジュール（１）が、積込モジュール安全設備をさらに備え、および/または、
前記積降モジュール（２）が、積降モジュール安全設備をさらに備えていることを特徴とする、請求項１に記載のモジュール式仕分けプラットフォーム。
【請求項５】
前記プラットフォームモジュールが、充填モジュール（３）をさらに備え、前記充填モジュール（３）が、前記組み合わせプラットフォームの前記仕事面を形成するための充填モジュール仕事面と、充填インターフェースと、別のプラットフォームモジュールと連結するための充填モジュール連結部とを備えていることを特徴とする、請求項１に記載のモジュール式仕分けプラットフォーム。
【請求項６】
前記充填モジュール（３）が、前記充填インターフェースとの充填積み重ね部を備えていることを特徴とする、請求項５に記載のモジュール式仕分けプラットフォーム。
【請求項７】
前記充填モジュール（３）が、充填モジュール安全設備をさらに備えていることを特徴とする、請求項５に記載のモジュール式仕分けプラットフォーム。
【請求項８】
上下に配置されて層状にされる複数の組み合わせプラットフォームを備えていることを特徴とする、請求項１から７のいずれか一項に記載のモジュール式仕分けプラットフォーム。
【請求項９】
前記支持構造（５）が、前記組み合わせプラットフォームが設置される複数の直立部を備えていることを特徴とする、請求項１から７のいずれか一項に記載のモジュール式仕分けプラットフォーム。
【請求項１０】
前記組み合わせプラットフォームの前記仕事面に置かれる滑り止め層をさらに備えていることを特徴とする、請求項１から７のいずれか一項に記載のモジュール式仕分けプラットフォーム。
【請求項１１】
前記組み合わせプラットフォームの前記プラットフォームモジュールが、取り外し可能に連結されていることを特徴とする、請求項１から７のいずれか一項に記載のモジュール式仕分けプラットフォーム。
【請求項１２】
請求項１から１１のいずれか一項に記載のモジュール式仕分けプラットフォームと、
前記組み合わせプラットフォーム上に配置され、前記投入位置から受け入れられる前記物品を運搬して前記組み合わせプラットフォーム上を進行し、前記運搬された物品に対応する排出位置へと前記物品を輸送するように構成される進行台車（４）と、
を含んでなることを特徴とする、物品仕分けシステム。
【発明の詳細な説明】
【技術分野】
【０００１】
関連出願への相互参照
本出願は、「MODULAR SORTING PLATFORM AND GOODS SORTING SYSTEM」の発明の名称で、２０１８年６月２７日に出願された中国特許出願第２０１８１０６７３１９５.４号に基づいており、この中国特許出願の優先権を主張し、その内容全体が参照により本明細書に組み込まれている。
【０００２】
本開示は、仕分けの技術分野に関し、特に、モジュール式仕分けプラットフォームおよび物品仕分けシステムに関する。
【背景技術】
【０００３】
既存の物品仕分けシステムでは、クロスベルト仕分け技術が、主流の成熟した技術として広く使用されている。クロスベルト仕分け技術による物品仕分けシステムは、クロスベルト仕分け機器と、仕分け補助器具としての仕分け台車とを主に含む。仕分け工程の間、仕分け台車は、仕分け対象の物品を運搬し、クロスベルト仕分け機器の所定の一列の軌道上で前方へ移動し、複数の受入部が軌道の両側に配置されている。台車が、積み込まれた物品に対応する受入部へと移動するとき、物品は、制御システムの制御の下で受入部へと送られる。
【発明の概要】
【発明が解決しようとする課題】
【０００４】
本開示の解決策を見出す間に、本発明者らは、次のことを見出した。
【０００５】
クロスベルト仕分け技術による物品仕分けシステムは、構造が完成すると硬直したシステムになってしまう。物品の量に拘わらず、同じ工程および機器と、ほとんど同じエネルギー消費とが、仕分けを達成するために必要とされる。業務量が小さいとき、クロスベルト仕分け技術による物品仕分けシステムは、明らかにエネルギーを無駄にすることとなり、業務変更に伴って技術的に更新または拡張することが困難である。
【０００６】
クロスベルト仕分け技術による物品仕分けシステムを使用できるようにするためには、数カ月が必要とされる。長い構築期間に起因して、物品仕分けシステムは、構築期間の間に運転させることができず、生産的な利益を生み出すことができない。元々の仕分け現場が変更および更新される場合、元々の仕分けの進捗は、仕分け現場の長期間の占有に起因して、影響を受けることになる。
【０００７】
複雑な配置および大きな専有面積に起因して、クロスベルト仕分け技術による物品仕分けシステムは、様々な仕分け場所についてカスタマイズされる必要があり、事前の設計のための長時間の消費に起因して、物品仕分けシステムは、大量生産を達成するのが困難であり、結果として物品仕分けシステムの全体の製造コストをより高くしてしまう。物品仕分けシステムは、場所の変更などの理由のために断念された後、再使用することがより困難である。
【０００８】
本開示の目的は、モジュール式仕分けプラットフォームを提供することであり、モジュール式仕分けプラットフォームを含む物品仕分けシステムも提供することである。
【課題を解決するための手段】
【０００９】
第１の態様によれば、本開示は、モジュール式仕分けプラットフォームを提供する。モジュール式仕分けプラットフォームは、支持構造と、組み合わせプラットフォームとを含み、組み合わせプラットフォームは、支持構造に設置され、複数のプラットフォームモジュールから構成され、プラットフォームモジュールは、
組み合わせプラットフォームの仕事面を形成するための積込モジュール仕事面、仕分け対象の物品を受け入れるための投入位置、および、別のプラットフォームモジュールとの連結のための積込モジュール連結部を備える積込モジュールと、
組み合わせプラットフォームの仕事面を形成するための積降モジュール仕事面、物品を排出するための排出位置、および、別のプラットフォームモジュールとの連結のための積降モジュール連結部を備える積降モジュールと
を含む。
【００１０】
いくつかの実施形態では、積込モジュールは、
物品をバッファリングするためのバッファリング領域、および/または、
コードスキャナと連結するためのスキャナ連結位置決めインターフェース、および/または、
表示部と連結するための表示部連結位置決めインターフェース
をさらに含む。
【００１１】
いくつかの実施形態では、積降モジュールは、排出位置に配置され、物品受入部と連結される受入部連結位置決めインターフェースを含む。
【００１２】
いくつかの実施形態では、積込モジュールは、積込モジュール安全設備をさらに含み、および/または、積降モジュールは、積降モジュール安全設備をさらに含む。
【００１３】
いくつかの実施形態では、プラットフォームモジュールは、充填モジュールをさらに含み、充填モジュールは、組み合わせプラットフォームの仕事面を形成するための充填モジュール仕事面と、充填インターフェースと、別のプラットフォームモジュールと連結するための充填モジュール連結部とを含む。
【００１４】
いくつかの実施形態では、充填モジュールは、充填インターフェースとの充填積み重ね部を含む。
【００１５】
いくつかの実施形態では、充填モジュールは、充填モジュール安全設備をさらに含む。
【００１６】
いくつかの実施形態では、モジュール式仕分けプラットフォームは、上下に配置されて層状にされる複数の組み合わせプラットフォームを含む。
【００１７】
いくつかの実施形態では、支持構造は、組み合わせプラットフォームが設置される複数の直立部を含む。
【００１８】
いくつかの実施形態では、モジュール式仕分けプラットフォームは、組み合わせプラットフォームの仕事面に置かれる滑り止め層をさらに含む。
【００１９】
いくつかの実施形態では、組み合わせプラットフォームのプラットフォームモジュールは、取り外し可能に連結される。
【００２０】
第２の態様によれば、本開示は、物品仕分けシステムを提供する。物品仕分けシステムは、
本開示の第１の態様によるモジュール式仕分けプラットフォームと、
組み合わせプラットフォーム上に配置され、投入位置から受け入れられる物品を運搬して組み合わせプラットフォーム上を進行し、運搬された物品に対応する排出位置へと物品を輸送するように構成される進行台車と
を含む。
【００２１】
本開示のモジュール式仕分けプラットフォームおよび物品仕分けシステムによれば、組み合わせプラットフォームは、要求される仕分け業務を達成することを容易にするように、実際の必要性を満たすモジュール式仕分けプラットフォームを得るための複数の異なるプラットフォームモジュールを使用して形成される。
【００２２】
本開示の例示の実施形態は、本開示の他の特徴および利点が明らかとなるように、添付の図面を参照して詳細に説明されている。
【００２３】
ここで記載されている図面は、本開示をさらに理解し、本出願の一部を構成するために使用され、本開示の概略的な実施形態および記載は、本開示を説明するために使用され、本開示への不適切な限定を構成していない。
【図面の簡単な説明】
【００２４】
【図１】本開示の一実施形態によるモジュール式仕分けプラットフォームの組み合わせ原理の概略図である。
【図２】本開示の一実施形態による物品仕分けシステムの概略的な構造図である。
【発明を実施するための形態】
【００２５】
以下において、本開示の実施形態における添付の図面を参照して、本開示の実施形態での技術的な解決策が明確かつ完全に記載されている。実際、少なくとも１つの例示の実施形態の以下の記載は単に説明のためであり、本開示、および本出願またはその使用を限定するように意図されていない。創造的取り組みなく、本開示の実施形態に基づいて当業者により得られたすべての他の実施形態は、本開示の保護の範囲内にある。
【００２６】
他に明示されていない場合、これらの実施形態において述べられている構成要素およびステップの相対的な配置、数式、ならびに値は、本開示の範囲を限定しない。同時に、記載の利便性のために、添付の図面に示された様々な部分の寸法は、実際の比例的関係に従って描写されていないことは、理解されるべきである。当業者に知られている技術、方法、および機器は詳細に検討されていない可能性があるが、適切である場合、それらは認可された明細書の一部として考慮されるべきである。本明細書で図示および検討されているすべての例では、すべての特定の値は、例示であるが限定ではないとしてのみ説明されるべきである。そのため、例示の実施形態の他の例は異なる値を有し得る。同様の数字および文字が以下の添付の図面において同様の項目を指示することは、留意されるべきである。そのため、特定の項目が添付の図面のうちの１つにおいて定められると、そのためのさらなる詳述は後の図面において必要とされない。
【００２７】
本開示の実施形態は、モジュール式仕分けプラットフォームと物品仕分けシステムとを提供する。図１は、本開示の一実施形態によるモジュール式仕分けプラットフォームの組み合わせ原理の概略図である。図２は、本開示の一実施形態による物品仕分けシステムの概略的な構造図である。
【００２８】
図１および図２に示されているように、モジュール式仕分けプラットフォームは、支持構造５と、組み合わせプラットフォームとを含む。組み合わせプラットフォームは、支持構造５に設置される。
【００２９】
いくつかの実施形態では、図１および図２に示されているように、支持構造５は、組み合わせプラットフォームが設置される複数の直立部を含む。
【００３０】
図１および図２に示されているように、組み合わせプラットフォームは、取り外し可能に連結された複数のプラットフォームモジュールを組み合わせることで形成され、プラットフォームモジュールは、積込モジュール１と、積降モジュール２とを含む。
【００３１】
積込モジュール１は、組み合わせプラットフォームの仕事面を形成するための積込モジュール仕事面と、仕分け対象の物品を受け入れるための投入位置と、別のプラットフォームモジュールとの連結のための積込モジュール連結部とを含む。
【００３２】
積降モジュール２は、組み合わせプラットフォームの仕事面を形成するための積降モジュール仕事面と、物品を排出するための排出位置と、別のプラットフォームモジュールとの連結のための積降モジュール連結部とを含む。
【００３３】
いくつかの実施形態では、積降モジュール２は、排出位置に配置され、物品受入部と連結される受入部連結位置決めインターフェースを含む。例えば、受入部は仕分け網である。
【００３４】
いくつかの実施形態では、積込モジュール１は、物品をバッファリングするためのバッファリング領域をさらに含む。バッファリング領域は、投入口において物品の積み込みを待たせる代わりに、多くの物品が投入口に入り、適時仕分けされないときに、積み込まれた物品をバッファリングするように構成されている。
【００３５】
いくつかの実施形態では、積込モジュール１は、コードスキャナとの連結のためのスキャナ連結位置決めインターフェースをさらに含む。物品には、コードスキャナによって特定される物品情報が提供される。
【００３６】
本実施形態のモジュール式仕分けプラットフォームを伴う物品仕分けシステムは、スキャナ連結位置決めインターフェースと連結されたコードスキャナと、コードスキャナと連結された制御システムと、制御システムと結合され、組み合わせプラットフォームに配置される進行台車４と、排出位置に対応して配置される、物品を受け入れるための物品受入部とを含む。コードスキャナからの物品情報が制御システムによって受信された後、進行台車４は、組み合わせプラットフォームにおいて、物品情報に対応する排出位置へと進行するように物品情報に従って制御され、物品は受入部へと積み降ろしされる。例えば、物品は、荷物情報を伴うラベルが付着される仕分けされる荷物であり得る。コードスキャナはラベルを読むことで荷物情報を得る。例えば、荷物情報は、荷物が送られる住所を指示する住所情報を含み、制御システムは、住所情報に従って、対応する排出位置および住所情報に対応する受入部へと物品を輸送させるために、進行台車４を制御する。
【００３７】
いくつかの実施形態では、積込モジュール１は、表示部との連結のための表示部連結位置決めインターフェースをさらに含む。物品情報は、例えば荷物情報といった表示部によって表示される。
【００３８】
いくつかの実施形態では、複数のプラットフォームモジュールは充填モジュール３をさらに含む。充填モジュール３は、組み合わせプラットフォームの仕事面を形成するための充填モジュール仕事面と、充填インターフェースと、別のプラットフォームモジュールと連結するための充填モジュール連結部とを含む。
【００３９】
いくつかの実施形態では、充填モジュール３は、充填インターフェースとの充填積み重ね部を含む。充填モジュール３は、充填積み重ね部と連結される整合線も含む。
【００４０】
組み合わせプラットフォームの仕事面は、運搬作業者または他の機器の代わりに、進行台車４と、進行台車４において運搬される物品とを運搬するように構成される必要があるだけであり、そのため、仕事面は軽量とすることができ、積込モジュール仕事面、積降プラットフォーム仕事面、および充填プラットフォーム仕事面は、金属、または木材もしくはプラスチックなどの他の材料から作ることができる。
【００４１】
いくつかの実施形態では、積込モジュール１は、積込モジュール安全設備をさらに含む。
【００４２】
いくつかの実施形態では、積降モジュール２は、積降モジュール安全設備をさらに含む。
【００４３】
いくつかの実施形態では、充填モジュール３は、充填モジュール安全設備をさらに含む。
【００４４】
例えば、積込モジュール安全設備、積降モジュール安全設備、または充填モジュール安全設備は、試験設備、警報設備、機器安全保護設備などを含む。例えば、試験設備は、安全検査および安全データ分析のための検査および試験の機器および器具を含み、警報設備は、毒性、有害性、および禁止されている物質の警報の設備を含み、機器安全保護設備は、静電設置設備、電気的過負荷保護設備、および保護スクリーンを含む。
【００４５】
いくつかの実施形態では、組み合わせプラットフォームのプラットフォームモジュールは、取り外し可能に連結される。連結されたプラットフォームモジュールは、取り外し可能に連結され、現場での構築の間にモジュール式仕分けプラットフォームの素早い設置を容易にし、モジュール式仕分けプラットフォームの取り外しおよび再使用を容易にする。積込プラットフォーム連結部、積降プラットフォーム連結部、および充填プラットフォーム連結部などのすべてのプラットフォームモジュールの連結部は、必要とされるような組み合わせプラットフォームのプラットフォームモジュールを柔軟に配置するために、一定の構造または合致する構造から選択される。
【００４６】
連結されたプラットフォームモジュール間の連結部は、例えばネジ連結構造、留め付け構造、およびピン連結構造といった、迅速に分解および組立される連結構造によって連結される。
【００４７】
いくつかの実施形態では、図２に示されているように、モジュール式仕分けプラットフォームは、上下に層状にされた複数の組み合わせプラットフォームを含む。組み合わせプラットフォームの数は、２層、３層、またはより多くの層を含めて、現場および仕分け量などの因子に応じて設定される。
【００４８】
図２に示された実施形態では、物品仕分けシステムおよびそのモジュール式仕分けプラットフォームには、組み合わせプラットフォームの第１の層Ｆ、組み合わせプラットフォームの第２の層Ｓ、および組み合わせプラットフォームの第３の層Ｔを含む組み合わせプラットフォームの３つの層が設けられている。図２では、第３の層の組み合わせプラットフォームＴのプラットフォームモジュールの組み合わせ方法だけが、第１の層の組み合わせプラットフォームＦおよび第３の層の組み合わせプラットフォームＴのプラットフォームモジュールの組み合わせ方法、または、第１の層の組み合わせプラットフォームＦおよび第３の層の組み合わせプラットフォームＴのすべてのプラットフォームモジュールの組み合わせ方法を示す代わりに、例示で示されている。
【００４９】
図２に示されているように、組み合わせプラットフォームの３つの層は、支持面Ｇに配置された複数の直立部を含む支持構造５に設置されている。例えば、支持面Ｇは、地面または床である。図２では、直立部の数および位置は、支持構造５を図示するために概略的に示されているにすぎないことが、留意されるべきである。モジュール式仕分けプラットフォームおよび物品仕分けシステムが具体的に配置されるとき、支持構造５のために必要とされる直立部の数および位置は、プラットフォームモジュールの数、種類、および位置に応じて対応するように決定される。
【００５０】
支持構造５は、多様であってよく、例えば、複数の直立部および複数の梁部を含むフレーム構造である。
【００５１】
いくつかの実施形態では、モジュール式仕分けプラットフォームは、組み合わせプラットフォームの仕事面に置かれる滑り止め層をさらに含む。滑り止め層は、例えば、組み合わせプラットフォームの仕事面に置かれるゴムパッドである。
【００５２】
図２に示されているように、本開示の実施形態の物品仕分けシステムは、モジュール式仕分けプラットフォームと、進行台車４とを含む。進行台車４は、組み合わせプラットフォーム上に配置され、投入位置から受け入れられる物品を運搬して組み合わせプラットフォーム上を進行し、運搬された物品に対応する排出位置へと物品を輸送するように構成される。
【００５３】
モジュール式仕分けプラットフォームおよび物品仕分けシステムが明確に配置されるとき、組み合わせプラットフォームにおけるプラットフォームモジュールの数および位置と、組み合わせプラットフォームの形とは、現場の形、建物の構造、仕分け量、配置のために必要とされる受入部の量などの因子に応じて選択される。多層の組み合わせプラットフォームは、上下に層状にされ、組み合わせプラットフォームの各々の層は、独立して安全に動作することで、空間利用率を向上させ、所与の領域における仕分け能力を高める。
【００５４】
上記説明によれば、本開示の実施形態におけるモジュール式仕分けプラットフォームおよび物品仕分けシステムは、以下の技術的効果のうちの少なくとも１つを有する。
【００５５】
１.  組み合わせプラットフォームは、要求される仕分け業務を達成することを助けるように、実際の必要性を満たすモジュール式仕分けプラットフォームを得るために複数の異なるプラットフォームモジュールを使用して形成される。
【００５６】
２.  プラットフォームモジュールの数は、時間の期間内または予測される時間内の業務量に応じて選択的に増加または低減させられ、これは、物品仕分けシステムの仕分け量を調節するのに便利であり、少量の物品の仕分けにおいて、大量向けの物品仕分けシステムによるリソースの無駄を回避するのを助け、または、大量の物品の仕分けにおいて、少量向けの物品仕分けシステムによる物品の仕分けの遅れを回避するのを助ける。
【００５７】
３.  すべてのプラットフォームモジュールの設計および生産期間は比較的迅速であり、複数のプラットフォームモジュールは、モジュール式仕分けプラットフォームおよび物品仕分けシステムを形成するために用途の要件に従って迅速に組み立てられ、これは、物品仕分けシステムの迅速な生産および使用に有益であり、様々な生産環境に適し、柔軟性を向上させる。
【００５８】
４.  モジュール式仕分けプラットフォームおよび物品仕分けシステムは、分解および輸送するのが容易であり、すべてのプラットフォームモジュールは再使用可能であり、それによって、特定のモジュール式仕分けプラットフォームから分解されたプラットフォームモジュールを、再使用のために他の同様のモジュール式仕分けプラットフォームに入れ込むのを助け、効果的にコストを削減する。
【００５９】
最後に、前述の実施形態は、本開示の技術的な解決策を説明するようにのみ意図されており、本開示を限定するように意図されていないことが、留意されるべきである。本開示は、好ましい実施形態を参照して詳細に記載されているが、当業者は、本開示の特定の実施に依然として変形を行うことができること、または、本開示の一部の技術的特徴に均等な置換を行うことができることを理解すべきである。変形または均等な置換は、本開示の特許請求されている技術的解決策の範囲内に含まれるべきものである。
【符号の説明】
【００６０】
１  積込モジュール
２  積降モジュール
３  充填モジュール
４  進行台車
５  支持構造
Ｆ  組み合わせプラットフォームの第１の層
Ｓ  組み合わせプラットフォームの第２の層
Ｔ  組み合わせプラットフォームの第３の層
Ｇ  支持面
【図１】
2021529136.tif 000003
【図２】
2021529136.tif 000004
【国際調査報告】
2021529136.tif 000005
2021529136.tif 000006
2021529136.tif 000007
2021529136.tif 000008
2021529136.tif 000009
2021529136.tif 000010